(57)【要約】【課題】  筐体内に画像投射装置を収納して構成された画像投射装置において、非使用時における画像投射装置内の光学部品に対する塵挨の付着を防止し、塵挨の付着による光学特性の劣化を防止する。【解決手段】  回転駆動装置３２を用いて、前面部にスクリーン３１が設けられた筐体１内に収納された画像投射装置２に電源供給を行う電源制御回路に同期して、画像投射装置２の動作時には、この画像投射装置２の傾斜角度βを、この画像投射装置２が画像表示を行うための所定の角度となるように回転駆動手段３２を制御し、画像投射装置２の非動作時には、この画像投射装置２の傾斜角度βを、この画像投射装置２内の光学部品表面が自然落下による塵埃の付着が防止される傾斜面となる角度とするように回転駆動手段３２を制御する。【選択図】    図１
2006220957.tif 000002
【特許請求の範囲】
【請求項１】
前面部にスクリーンが設けられた筐体と、
少なくとも光源、照明光学系、空間光変調素子及び投射レンズを備えて構成され、前記筐体内に収納されて設置され、前記スクリーンに対して、背面側より画像を投射して表示する画像投射装置と、
前記画像投射装置を回転操作して、この画像投射装置の傾斜角度を制御する回転駆動手段と、
前記回転駆動手段を制御する制御手段とを備え、
前記制御手段は、前記画像投射装置に電源供給を行う電源制御回路に同期して、前記画像投射装置の動作時には、この画像投射装置の傾斜角度を、この画像投射装置が画像表示を行うための所定の角度となるように前記回転駆動手段を制御し、前記画像投射装置の非動作時には、この画像投射装置の傾斜角度を、この画像投射装置内の光学部品表面が自然落下による塵埃の付着が防止される傾斜面となる角度とするように前記回転駆動手段を制御することを特徴とする画像表示装置。
【発明の詳細な説明】
【技術分野】
【０００１】
本発明は、空間光変調素子により変調された照明光を結像させて画像表示を行う画像表示装置に関する。
【背景技術】
【０００２】
従来、反射型液晶ライトバルブ（ＬＣＯＳ）の如き空間光変調素子に対する照明光をこの空間光変調素子によって変調し、この変調光を投射レンズ等の結像光学系を介してスクリーン上に拡大して結像させて、画像を表示する投射型画像表示装置が提案されている。このような投射型画像表示装置においては、特許文献１乃至特許文献４に記載されているように、空間光変調素子のピクセルごとに照明光が制御されることにより、照明光の光量や偏光状態についての変調が行われ、画像表示が行われる。
【０００３】
また、このような画像表示装置として、図１０に示すように、光源、照明光学系、空間光変調素子及び投射レンズを備えた画像投射装置１０１を筐体１０２内に収納して構成し、この画像投射装置１０１により、筐体１０２の前面部に設置れたスクリーン１０３に対して、背面側より画像を投射するようにした、いわゆるリアプロジェクタと呼ばれる画像表示装置が提案されている。
【０００４】
このようなリアプロジェクタにおいては、筐体１０２内の底部に設置された画像投射装置１０１より水平に出射された投射光は、第１の反射ミラー１０４により反射されて筐体１０２内を上行し、筐体１０２内の背面側に設置された第２の反射ミラー１０５により再び反射されて、筐体１０２の前面部に設置されたスクリーン１０３に投射される。なお、スクリーン１０３は、鉛直な平面として構成されている。
【０００５】
そして、このリアプロジェクタにおいては、特許文献５に記載されているように、画像投射装置１０１より出射された投射光の光軸Ｒ１と第１の反射ミラー１０４により反射された後の光束の光軸Ｒ２とで規定される平面を第１平面とすると、この第１平面は、光軸Ｒ２と第２の反射ミラー１０５により反射された後の光束の光軸Ｒ３とで規定される第２平面と直交している。また、光軸Ｒ１と光軸Ｒ２とは、互いに直交している。これらの関係により、光軸Ｒ３は、スクリーン１０３に対して垂直となり、すなわち、第２の反射ミラー１０５により反射された後の光束は、スクリーン１０３に対して垂直に入射する。
【０００６】
また、第２の反射ミラー１０５とスクリーン１０３とのなす角をαとし、第１平面が水平面に対してなす角をβとすると、〔β°＝９０°−２α°〕という関係が成立している。なお、第１平面が水平面に対してなす角βは、画像投射装置１０１が光軸Ｒ１回りに傾斜している角度に等しい。このような構成により、筐体１０２の前後厚の薄型化が図られている。
【特許文献１】特開平１１−２９５６５９号公報
【特許文献２】特開２０００−１１１８６１公報
【特許文献３】特開２００４−２１９９４５公報
【特許文献４】特開２００４−２３３５０１公報
【特許文献５】特開２０００−７５４０９公報
【発明の開示】
【発明が解決しようとする課題】
【０００７】
ところで、前述のようなリアプロジェクタにおいては、画像投射装置１０１が光軸Ｒ１回りに角度βだけ傾斜して設置されるため、この画像投射装置内の光学部品に対して、塵埃が付着しやすく、明るさや色味などの光学特性に劣化が生じる虞れがある。すなわち、このような画像表示装置においては、動作中は、冷却ファンにより筐体１０２内に空気の流れを生じさせているため、光学部品に対する塵埃の付着は防止されるが、非動作中は、筐体１０２内の空気の流れが止まるため、図１１に示すように、塵挨が自然落下することにより光学部品１０６の表面に付着しやすい状態となる。
【０００８】
画像投射装置１０１の傾斜角度βが大きくなるほど、自然落下による塵埃付着が生じやすくなり、図１２に示すように、光学部品における透過率が低下することとなる。なお、この図１２に示すデータは、試験のため、筐体１０２内に意図的に塵挨を導入して測定したものである。この試験で使用した塵埃は、ＪＩＳ（日本工業規格）Ｚ８９０１の１５種（関東ローム７２％、カーボンブラック２３％、コットンリンタ５％の混合物）であり、試験条件として、ＪＩＳ  Ｄ０２０７の耐塵試験法に則って行ったものである。
【０００９】
そこで、本発明は、前述の実情に鑑みて提案されるものであって、筐体内に画像投射装置を収納して構成された画像投射装置であって、非使用時における画像投射装置内の光学部品に対する塵挨の付着が防止され、塵挨の付着による光学特性の劣化が防止された画像表示装置を提供することを目的とする。
【課題を解決するための手段】
【００１０】
前述の課題を解決し、前記目的を達成するため、本発明に係る画像表示装置は、前面部にスクリーンが設けられた筐体と、少なくとも光源、照明光学系、空間光変調素子及び投射レンズを備えて構成され筐体内に収納されて設置されスクリーンに対して背面側より画像を投射して表示する画像投射装置と、この画像投射装置を回転操作してこの画像投射装置の傾斜角度を制御する回転駆動手段と、回転駆動手段を制御する制御手段とを備え、制御手段は、画像投射装置に電源供給を行う電源制御回路に同期して、画像投射装置の動作時には、この画像投射装置の傾斜角度を、この画像投射装置が画像表示を行うための所定の角度となるように前記回転駆動手段を制御し、画像投射装置の非動作時には、この画像投射装置の傾斜角度を、この画像投射装置内の光学部品表面が自然落下による塵埃の付着が防止される傾斜面となる角度とするように前記回転駆動手段を制御することを特徴とするものである。
【００１１】
この画像投射装置においては、画像投射装置の非動作時には、画像投射装置内の光学部品表面が自然落下による塵埃の付着が防止される傾斜面となされるので、この光学部品表面に対する塵挨の付着が防止される。
【発明の効果】
【００１２】
本発明に係る画像表示装置においては、画像投射装置の非動作時には、画像投射装置内の光学部品表面を自然落下による塵埃の付着が防止される傾斜面とするので、この光学部品表面に対する塵挨の付着を防止することができ、塵挨の付着による光学特性の劣化を防止することができる。すなわち、画像投射装置の非動作時において、筐体内の空気の流れを作る冷却ファンが停止した状態においても、光学部品表面が自然落下による塵埃の付着が防止される傾斜面となっていることにより、塵挨の付着による透過率の低下が抑えられ、表示画像の画質劣化が防止される。例えば、光学部品表面を鉛直面に対して１０°以内とすることにより、塵挨の付着による透過率の低下を、光学部品の一面につき０．１％以下とすることができる。
【００１３】
なお、画像投射装置の動作時においては、画像投射装置の傾斜角度は、この画像投射装置が画像表示を行うための所定の角度とされるが、このときには、筐体内においては、冷却ファンによる空気の流れが生じているため、光学部品への塵挨の付着が防止される。
【００１４】
すなわち、本発明は、筐体内に画像投射装置を収納して構成された画像投射装置であって、非使用時における画像投射装置内の光学部品に対する塵挨の付着が防止され、塵挨の付着による光学特性の劣化が防止された画像表示装置を提供することができるものである。
【発明を実施するための最良の形態】
【００１５】
以下、本発明を実施するための最良の形態について、図面を参照しながら詳細に説明する。
【００１６】
〔第１の実施の形態〕
図１は、本発明に係る画像表示装置の第１の実施の形態における構成を示す斜視図である。
【００１７】
この型画像表示装置は、図１に示すように、筐体１を有し、この筐体１内の下方部分に画像投射装置２が設置されて構成されている。
【００１８】
図２は、本発明に係る画像表示装置における画像投射装置の構成を示す平面図である。
【００１９】
画像投射装置２は、図２に示すように、光源３を有している。この光源３としては、超高圧水銀ランプ等の発光管が使用されている。この光源から発せられた照明光は、直接前方に出射されるとともに、凹面リフレクタ４によって反射されて、前方に出射される。この照明光は、紫外線及び赤外線反射フィルタ５を経て、照明光学系を構成する第１のフライアイレンズアレイ６に入射される。照明光学系は、この第１のフライアイレンズアレイ６と、第２のフライアイレンズアレイ７とにより構成される。第１のフライアイレンズアレイ６を経た各色光Ｒ，Ｇ，Ｂは、第２のフライアイレンズアレイ７に入射され、偏光変換素子８に入射される。この偏光変換素子８は、入射された各色光Ｒ，Ｇ，Ｂの偏光方向を一定の方向に揃えて透過させる。
【００２０】
そして、偏光変換素子８を経た各色光Ｒ，Ｇ，Ｂは、クロスダイクロイックミラー９に入射され、このクロスダイクロイックミラー９により、赤色光Ｒ及び緑色光Ｇと、青色光Ｂとに分離される。これら赤色光Ｒ及び緑色光Ｇと、青色光Ｂとは、クロスダイクロイックミラー９により、互いに異なる方向に反射される。
【００２１】
クロスダイクロイックミラー９を経た赤色光Ｒ及び緑色光Ｇは、反射ミラー１０及びコンデンサレンズ１１を経て、ダイクロイックミラー１２に入射される。このダイクロイックミラー１２においては、赤色光Ｒが透過し、緑色光Ｇが反射されることにより、これら赤色光Ｒ及び緑色光Ｇが分離される。
【００２２】
ダイクロイックミラー１２を経た赤色光Ｒは、偏光子１３を経て、第１の偏光ビームスプリッタ１４に入射される。この第１の偏光ビームスプリッタ１４において、赤色光Ｒは、偏光分離膜によって反射されてこの第１の偏光ビームスプリッタ１４から出射されて、空間光変調素子となる赤色用反射型液晶ライトバルブ１５に入射される。この赤色用反射型液晶ライトバルブ１５に入射された赤色光Ｒは、画像信号に応じて偏光変調されて、第１の偏光ビームスプリッタ１４に再入射される。偏光変調された赤色光Ｒは、第１の偏光ビームスプリッタ１４の偏光分離膜を透過し、この第１の偏光ビームスプリッタ１４から出射されて、さらに検光子１６を経て、クロスダイクロイックプリズム１７に対して一側面から入射する。
【００２３】
また、ダイクロイックミラー１２を経た緑色光Ｇは、偏光子１８を経て、第２の偏光ビームスプリッタ１９に入射される。この第２の偏光ビームスプリッタ１９において、緑色光Ｇは、偏光分離膜によって反射されてこの第２の偏光ビームスプリッタ１９から出射されて、空間光変調素子となる緑色用反射型液晶ライトバルブ２０に入射される。この緑色用反射型液晶ライトバルブ２０に入射された緑色光Ｇは、画像信号に応じて偏光変調されて、第２の偏光ビームスプリッタ１９に再入射される。偏光変調された緑色光Ｇは、第２の偏光ビームスプリッタ１９の偏光分離膜を透過し、この第２の偏光ビームスプリッタ１９から出射されて、さらに検光子２１を経て、クロスダイクロイックプリズム１７に対して後面から入射する。
【００２４】
一方、クロスダイクロイックミラー９を経た青色光Ｂは、反射ミラー２２、コンデンサレンズ２３及び偏光子２４を経て、第３の偏光ビームスプリッタ２５に入射される。この第３の偏光ビームスプリッタ２５において、青色光Ｂは、偏光分離膜によって反射されてこの第３の偏光ビームスプリッタ２５から出射されて、空間光変調素子となる青色用反射型液晶ライトバルブ２６に入射される。この青色用反射型液晶ライトバルブ２６に入射された青色光Ｂは、画像信号に応じて偏光変調されて、第３の偏光ビームスプリッタ２５に再入射される。偏光変調された青色光Ｂは、第３の偏光ビームスプリッタ２５の偏光分離膜を透過し、この第３の偏光ビームスプリッタ２５から出射されて、さらに検光子２７を経て、クロスダイクロイックプリズム１７に対して他側面から入射する。
【００２５】
クロスダイクロイックプリズム１７においては、一側面から入射された赤色光Ｒが一方のダイクロイック膜によって反射されて前面より出射され、他側面から入射された青色光Ｂが他方のダイクロイック膜によって反射されて前面より出射され、後面から入射された緑色光Ｇが各ダイクロイック膜を透過して前面より出射される。このようにして、このクロスダイクロイックプリズム１７においては、各色の変調光Ｒ，Ｇ，Ｂが色合成される。
【００２６】
クロスダイクロイックプリズム１７の前面から出射された各色の変調光Ｒ，Ｇ，Ｂは、結像光学系である投射レンズ２８に入射される。この投射レンズ２８は、入射された各色の変調光Ｒ，Ｇ，Ｂを、画像表示を行う投射光として出射する。
【００２７】
そして、この画像表示装置においては、投射レンズ２８より出射された投射光は、図１に示すように、第１の反射ミラー２９により反射されて筐体１内を上行する。この投射光は、筐体１内の背面側に設置された第２の反射ミラー３０によって反射されて、この画像表示装置の前面部をなす半透明スクリーン３１に、この半透明スクリーン３１の背面側より投射される。このように半透明スクリーン３１に投射された投射光は、この半透明スクリーン３１上に表示画像を結像させる。なお、半透明スクリーン３１は、鉛直な平面として構成されている。
【００２８】
なお、画像投射装置の冷却は、図示しない冷却ファンにより筐体１内に外部から取り入れた空気によって行われる。この冷却ファンによって筐体１内に送られ、画像投射装置を冷却した冷却風は、ダクトを介して、筐体１の外方側に排出される。
【００２９】
そして、この画像表示装置においては、筐体１内には、回転駆動手段となる回転駆動装置３２が設けられている。この回転駆動装置３２は、画像投射装置２を回転操作することにより、この画像投射装置２の傾斜角度を制御するものである。この回転駆動装置３２内には、この回転駆動装置３２を制御する制御手段となる制御回路が内蔵されている。
【００３０】
図３は、本発明に係る画像表示装置における回転駆動装置の構成を示す正面図である。
【００３１】
この回転駆動装置３２は、図３に示すように、画像投射装置２を支持するシャーシ３３と、このシャーシ３３を回転可能に軸支する支軸３４とを備えて構成されている。この支軸３４には、第１のギヤ３５が取付けられている。この第１のギヤ３５は、笠羽歯車となっている。そして、この第１のギヤ３５には、モータ３６の駆動軸に取付けられた第２のギヤ３７が噛合している。この第２のギヤ３７も、笠羽歯車となっている。
【００３２】
この回転駆動装置３２においては、モータ３６が駆動することにより、このモータ３６の駆動力によって、各ギヤ３７，３５を介してシャーシ３３が支軸３４回りに回転操作され、画像投射装置２の傾斜角度を制御する。なお、支軸３４の軸は、画像投射装置２の投射レンズ２８の光軸に平行となっている。
【００３３】
モータ３６の構成等は特に限定しないが、十分なトルクを発生するステッピングモータ等が好ましい。
【００３４】
図４は、本発明に係る画像表示装置における回転駆動装置の構成の他の例を示す正面図である。
【００３５】
また、回転駆動装置３２は、図４に示すように、第１のギヤ３５をウォームホイールとし、第２のギヤ３７をウォームギヤとして構成してもよい。すなわち、この場合には、支軸３４には、ウォームホイールである第１のギヤ３５が取付けられている。そして、この第１のギヤ３５には、モータ３６の駆動軸に取付けられたウォームギヤである第２のギヤ３７が噛合している。この回転駆動装置３２においても、モータ３６が駆動することにより、このモータ３６の駆動力によって、各ギヤ３７，３５を介してシャーシ３３が支軸３４回りに回転操作され、画像投射装置２の傾斜角度を制御する。
【００３６】
図５は、本発明に係る画像表示装置の動作時における画像投射装置の状態を示す側面図である。
【００３７】
この画像表示装置において、回転駆動装置３２の制御回路は、画像投射装置２に電源供給を行う電源制御回路に同期して、画像投射装置２の動作時には、図５に示すように、この画像投射装置２の傾斜角度を、この画像投射装置２が画像表示を行うための所定の角度とする。すなわち、画像投射装置２の動作時には、図１に示すように、画像投射装置２より出射された投射光の光軸Ｒ１と第１の反射ミラー２９により反射された後の光束の光軸Ｒ２とで規定される平面を第１平面とすると、この第１平面は、光軸Ｒ２と第２の反射ミラー３０により反射された後の光束の光軸Ｒ３とで規定される第２平面と直交している。また、光軸Ｒ１と光軸Ｒ２とは、互いに直交している。これらの関係により、光軸Ｒ３は、半透過スクリーン３１に対して垂直となり、すなわち、第２の反射ミラー３０により反射された後の光束は、半透過スクリーン３１に対して垂直に入射する。
【００３８】
また、第２の反射ミラー３０と半透過スクリーン３１とのなす角をαとし、第１平面が水平面に対してなす角をβとすると、〔β°＝９０°−２α°〕という関係が成立している。そして、第１平面が水平面に対してなす角βは、図５に示すように、画像投射装置２が光軸Ｒ１回りに傾斜している角度に等しい。
【００３９】
図６は、本発明に係る画像表示装置の非動作時における画像投射装置の状態を示す側面図である。
【００４０】
そして、この画像表示装置において、回転駆動装置３２の制御回路は、画像投射装置２の非動作時には、図６に示すように、この画像投射装置２の傾斜角度を、この画像投射装置２内の光学部品表面が自然落下による塵埃の付着が防止される傾斜面、例えば、鉛直面に対して１０°以内の面となる角度とする。この画像投射装置２においては、光軸Ｒ１回りの傾斜角度βを０°としたときに、この画像投射装置２内の光学部品表面が、略鉛直面となる。投射レンズを構成するレンズ等、曲率を有する光学部品であっても、光軸が水平となることにより、光学面上の各箇所は、鉛直面に対して１０°以内の角度となる。
【００４１】
画像投射装置２内の光学部品表面が鉛直面に対して１０°以内となることにより、冷却ファンが停止した状態においても、この光学部品表面に対する自然落下による塵埃付着が防止され、図１２に示すように、光学部品における透過率の低下は、０．１％程度に抑えられる。この図１２に示すデータは、ＪＩＳ（日本工業規格）Ｚ８９０１の１５種（関東ローム７２％、カーボンブラック２３％、コットンリンタ５％の混合物）を塵挨として用いて、ＪＩＳ  Ｄ０２０７の耐塵試験法に則った試験条件にて測定したものである。
【００４２】
〔第２の実施の形態〕
図７は、本発明に係る画像表示装置の第２の実施の形態における構成を示す斜視図である。
【００４３】
また、本発明に係る画像表示装置は、図７に示すように、第１の反射ミラー２９を画像投射装置２の投射レンズの鏡筒内に内蔵した構成としてもよい。
【００４４】
図８は、本発明に係る画像表示装置の第２の実施の形態における要部の構成を示す正面図である。
【００４５】
すなわち、この画像表示装置の画像投射装置２においては、図８に示すように、第１の反射ミラー２９は、画像投射装置２の投射レンズ２８の鏡筒内に内蔵されており、この鏡筒内において、投射光を反射して出射させる。
【００４６】
この画像表示装置においても、回転駆動装置３２の制御回路は、画像投射装置２に電源供給を行う電源制御回路に同期して、画像投射装置２の動作時には、図７に示すように、この画像投射装置２の傾斜角度を、この画像投射装置２が画像表示を行うための所定の角度とする。すなわち、画像投射装置２の動作時には、画像投射装置２の投射レンズ２８の光軸Ｒ１と第１の反射ミラー２９により反射されて画像投射装置２より出射された投射光の光軸Ｒ２とで規定される平面を第１平面とすると、この第１平面は、光軸Ｒ２と第２の反射ミラー３０により反射された後の光束の光軸Ｒ３とで規定される第２平面と直交している。また、光軸Ｒ１と光軸Ｒ２とは、互いに直交している。これらの関係により、光軸Ｒ３は、半透過スクリーン３１に対して垂直となり、すなわち、第２の反射ミラー３０により反射された後の光束は、半透過スクリーン３１に対して垂直に入射する。
【００４７】
また、第２の反射ミラー３０と半透過スクリーン３１とのなす角をαとし、第１平面が水平面に対してなす角をβとすると、〔β°＝９０°−２α°〕という関係が成立している。そして、第１平面が水平面に対してなす角βは、図５に示すように、画像投射装置２が光軸Ｒ１回りに傾斜している角度に等しい。
【００４８】
そして、この画像表示装置において、回転駆動装置３２の制御回路は、画像投射装置２の非動作時には、この画像投射装置２の傾斜角度を、この画像投射装置２内の光学部品表面が鉛直面に対して１０°以内となる角度とする。この画像投射装置２においては、光軸Ｒ１回りの傾斜角度βを０°としたときに、この画像投射装置２内の光学部品表面が、略鉛直面となる。画像投射装置２内の光学部品表面が自然落下による塵埃の付着が防止される傾斜面、例えば、鉛直面に対して１０°以内の面となることにより、冷却ファンが停止した状態においても、この光学部品表面に対する自然落下による塵埃付着が防止され、光学部品における透過率の低下が抑えられる。
【００４９】
〔第３の実施の形態〕
図９は、本発明に係る画像表示装置の第３の実施の形態における構成を示す斜視図である。
【００５０】
さらに、本発明に係る画像表示装置は、図９に示すように、第１の反射ミラー２９を用いない構成としてもよい。
【００５１】
すなわち、この画像表示装置における画像投射装置２は、投射レンズ２８より、第２の反射ミラー３０に向けて投射光を出射する。この投射光は、第２の反射ミラー３０により反射されて、半透過スクリーン３１に投射される。
【００５２】
この画像表示装置においては、回転駆動装置３２の制御回路は、画像投射装置２に電源供給を行う電源制御回路に同期して、画像投射装置２の動作時には、図９中に実線で示すように、この画像投射装置２の傾斜角度を、この画像投射装置２が画像表示を行うための所定の角度とする。すなわち、画像投射装置２の動作時には、画像投射装置２の投射レンズ２８より出射された投射光の光軸Ｒ１と第２の反射ミラー３１により反射された投射光の光軸Ｒ３とで規定される平面を第１平面とすると、この第１平面は、半透過スクリーン３１と直交している。また、第２の反射ミラー３０と半透過スクリーン３１とのなす角をαとし、光軸Ｒ１が水平面に対してなす角度をβとすると、〔β°＝２α°〕という関係が成立している。これらの関係により、光軸Ｒ３は、半透過スクリーン３１に対して垂直となり、すなわち、第２の反射ミラー３０により反射された後の光束は、半透過スクリーン３１に対して垂直に入射する。
【００５３】
そして、この画像表示装置において、回転駆動装置３２の制御回路は、画像投射装置２の非動作時には、この画像投射装置２の傾斜角度を、この画像投射装置２内の光学部品表面が自然落下による塵埃の付着が防止される傾斜面、例えば、鉛直面に対して１０°以内の面となる角度とする。この画像投射装置２においては、光軸Ｒ１が水平面に対してなす角度βを０°としたときに、この画像投射装置２内の光学部品表面が、略鉛直面となる。画像投射装置２内の光学部品表面が鉛直面に対して１０°以内となることにより、冷却ファンが停止した状態においても、この光学部品表面に対する自然落下による塵埃付着が防止され、光学部品における透過率の低下が抑えられる。
【図面の簡単な説明】
【００５４】
【図１】本発明に係る画像表示装置の第１の実施の形態における構成を示す斜視図である。
【図２】本発明に係る画像表示装置における画像投射装置の構成を示す平面図である。
【図３】本発明に係る画像表示装置における回転駆動装置の構成を示す正面図である。
【図４】本発明に係る画像表示装置における回転駆動装置の構成の他の例を示す正面図である。
【図５】本発明に係る画像表示装置の動作時における画像投射装置の状態を示す側面図である。
【図６】本発明に係る画像表示装置の非動作時における画像投射装置の状態を示す側面図である。
【図７】本発明に係る画像表示装置の第２の実施の形態における構成を示す斜視図である。
【図８】本発明に係る画像表示装置の第２の実施の形態における要部の構成を示す正面図である。
【図９】本発明に係る画像表示装置の第３の実施の形態における構成を示す斜視図である。
【図１０】従来の画像表示装置の構成を示す斜視図である。
【図１１】従来の画像表示装置における画像投射装置内の光学部品の傾斜を示す斜視図である。
【図１２】光学部品の傾斜角度とこの光学部品に対する塵挨の付着による透過率の低下との関係を示すグラフである。
【符号の説明】
【００５５】
１    筐体
２    画像投射装置
３    光源
６    第１のフライアイレンズアレイ
７    第２のフライアイレンズアレイ
１５  赤色用反射型液晶ライトバルブ
２０  緑色用反射型液晶ライトバルブ
２６  青色用反射型液晶ライトバルブ
２８  投射レンズ
３１  半透過スクリーン
３２  回転駆動装置
【図１】
2006220957.tif 000003
【図２】
2006220957.tif 000004
【図３】
2006220957.tif 000005
【図４】
2006220957.tif 000006
【図５】
2006220957.tif 000007
【図６】
2006220957.tif 000008
【図７】
2006220957.tif 000009
【図８】
2006220957.tif 000010
【図９】
2006220957.tif 000011
【図１０】
2006220957.tif 000012
【図１１】
2006220957.tif 000013
【図１２】
2006220957.tif 000014